(57)【要約】  【課題】  グループに割り当てられた複数の音声信号の各信号レベルを表すレベル情報の表示の切り替えを要することなく信号レベルが閾値より大きくなった音声信号を特定させることができる音響調整卓を提供する。  【解決手段】  複数の音声信号が割り当てられた複数のグループから１つのグループを選択するグループ選択手段３と、グループ選択手段３によって選択されたグループに割り当てられた音声信号の各信号レベルを表すレベル情報を表示するレベル情報表示手段４と、複数のグループにそれぞれ割り当てられた複数の音声信号の各信号レベルが予め定められた閾値より大きいか否かを判断する信号レベル判断手段６と、信号レベル判断手段６による判断結果を表すピーク情報を音声信号毎に表示するピーク情報表示手段７とを備える。【選択図】  図１
2005229297.tif 000002
【特許請求の範囲】
【請求項１】
複数の音声信号が割り当てられた複数のグループから１つのグループを選択するグループ選択手段と、
前記グループ選択手段によって選択されたグループに割り当てられた音声信号の各信号レベルを表すレベル情報を表示するレベル情報表示手段と、
前記複数のグループにそれぞれ割り当てられた複数の音声信号の各信号レベルが閾値より大きいか否かを判断する信号レベル判断手段と、
前記信号レベル判断手段による判断結果を表すピーク情報を前記音声信号毎に表示するピーク情報表示手段とを備えたことを特徴とする音響調整卓。
【請求項２】
前記音声信号が割り当てられたグループ毎に、信号レベルが前記閾値より大きいと前記信号レベル判断手段によって判断された音声信号の何れかが割り当てられているか否かを表示するグループピーク情報表示手段を備えたことを特徴とする請求項１に記載の音響調整卓。
【請求項３】
前記グループ選択手段によって選択されたグループに割り当てられた音声信号の各信号レベルがそれぞれ調整される信号レベル調整手段を備えたことを特徴とする請求項１または請求項２に記載の音響調整卓。
【請求項４】
信号レベルが前記閾値より大きいと前記信号レベル判断手段によって判断された音声信号が割り当てられたグループを選択するように前記グループ選択手段を制御するグループ選択制御手段を備えたことを特徴とする請求項１乃至請求項３の何れかに記載の音響調整卓。
【請求項５】
複数の音声信号の各信号レベルが閾値より大きいか否かを判断する信号レベル判断手段と、
前記音声信号が割り当てられたグループ毎に、前記信号レベルが前記閾値より大きいと前記信号レベル判断手段によって判断された音声信号の何れかが割り当てられているか否かを表示するグループピーク情報表示手段とを備えたことを特徴とする音響調整卓。
【発明の詳細な説明】
【技術分野】
【０００１】
本発明は、放送スタジオや多目的ホールにおいて複数の音声信号をミキシング処理する音響調整卓に関するものである。
【背景技術】
【０００２】
従来の音響調整卓は、図７に示すように、複数の音声信号が割り当てられた複数のグループから１つのグループを選択するグループ選択手段５０と、グループ選択手段５０によって選択されたグループに割り当てられた音声信号の各信号レベルを表すレベル情報を表示するレベル情報表示手段５１と、グループ選択手段によって選択されたグループに割り当てられた音声信号の各信号レベルが所定のレベル条件を満たしているか否かを判定するレベル条件判定手段５２と、レベル条件判定手段５２によってレベル条件が満たされた場合は、音声信号に対応付けて警告表示を行う警告表示手段５３とを備え、信号レベルが予め定められた閾値より大きな音声信号を検出するものがある（例えば特許文献１参照）。
【特許文献１】特開２００２−１９１０９１号公報
【発明の開示】
【発明が解決しようとする課題】
【０００３】
しかしながら、従来の音響調整卓においては、レベル情報が表示されていないグループに割り当てられた音声信号の信号レベルが閾値より大きくなった場合に、信号レベルが閾値より大きくなった音声信号を特定させるためにレベル情報が表示されるグループの切り替えを要するといった問題があった。
【０００４】
本発明は、従来の問題を解決するためになされたもので、グループに割り当てられた複数の音声信号の各信号レベルを表すレベル情報の表示の切り替えを要することなく信号レベルが閾値より大きくなった音声信号を特定させることができる音響調整卓を提供することを目的とする。
【課題を解決するための手段】
【０００５】
本発明の音響調整卓は、複数の音声信号が割り当てられた複数のグループから１つのグループを選択するグループ選択手段と、前記グループ選択手段によって選択されたグループに割り当てられた音声信号の各信号レベルを表すレベル情報を表示するレベル情報表示手段と、前記複数のグループにそれぞれ割り当てられた複数の音声信号の各信号レベルが閾値より大きいか否かを判断する信号レベル判断手段と、前記信号レベル判断手段による判断結果を表すピーク情報を前記音声信号毎に表示するピーク情報表示手段とを備えた構成を有している。
【０００６】
この構成により、複数のグループにそれぞれ割り当てられた複数の音声信号の各信号レベルが予め定められた閾値より大きいか否かの判断結果を音声信号毎に表示するため、グループに割り当てられた複数の音声信号の各信号レベルを表すレベル情報の表示の切り替えを要することなく信号レベルが閾値より大きくなった音声信号を特定させることができる。
【０００７】
また、本発明の音響調整卓は、前記音声信号が割り当てられたグループ毎に、信号レベルが前記閾値より大きいと前記信号レベル判断手段によって判断された音声信号の何れかが割り当てられているか否かを表示するグループピーク情報表示手段を備えた構成を有している。
【０００８】
この構成により、何れのグループに割り当てた音声信号の信号レベルが予め定められた閾値より大きくなったかを瞬時に確認させることができるため、信号レベルが閾値より大きくなった音声信号が割り当てられたグループに迅速に切り替えさせることができる。
【０００９】
また、本発明の音響調整卓は、前記グループ選択手段によって選択されたグループに割り当てられた音声信号の各信号レベルがそれぞれ調整される信号レベル調整手段を備えた構成を有している。
【００１０】
この構成により、音声信号の信号レベルが予め定められた閾値より大きくなったか否かの表示に基づいて、音声信号の信号レベルを調整することができる。
【００１１】
また、本発明の音響調整卓は、信号レベルが前記閾値より大きいと前記信号レベル判断手段によって判断された音声信号が割り当てられたグループを選択するように前記グループ選択手段を制御するグループ選択制御手段を備えた構成を有している。
【００１２】
この構成により、信号レベルが予め定められた閾値より大きくなった音声信号が割り当てられたグループが選択されるため、信号レベルが閾値より大きくなった音声信号の信号レベルを調整するために、信号レベルが閾値より大きくなった音声信号が割り当てられたグループに切り替る手間と時間とを節減することができる。
【００１３】
また、本発明の音響調整卓は、複数の音声信号の各信号レベルが閾値より大きいか否かを判断する信号レベル判断手段と、前記音声信号が割り当てられたグループ毎に、前記信号レベルが前記閾値より大きいと前記信号レベル判断手段によって判断された音声信号の何れかが割り当てられているか否かを表示するグループピーク情報表示手段とを備えた構成を有している。
【００１４】
この構成により、何れのグループに割り当てた音声信号の信号レベルが予め定められた閾値より大きくなったかが瞬時に確認させることができるため、信号レベルが閾値より大きくなった音声信号が割り当てられたグループに迅速に切り替えさせることができる。
【発明の効果】
【００１５】
本発明は、複数のグループにそれぞれ割り当てられた複数の音声信号の各信号レベルが予め定められた閾値より大きいか否かの判断結果を音声信号毎に表示するピーク情報表示手段を設けることにより、グループに割り当てられた複数の音声信号の各信号レベルを表すレベル情報の表示の切り替えを要することなく信号レベルが閾値より大きくなった音声信号を特定させることができる音響調整卓を提供することができるものである。
【発明を実施するための最良の形態】
【００１６】
以下、本発明の実施の形態について、図面を参照して説明する。
【００１７】
本発明の一実施の形態の音響調整卓を図１に示す。
【００１８】
音響調整卓１は、入力された音声信号の信号レベルを増幅させるヘッドアンプ２０と、音声信号をアナログデジタル変換するアナログデジタル変換器２１と、音声信号にイコライジング処理するイコライザ２２と、音声信号の信号レベルを調整するレベル調整器２３とを信号経路毎に備えている。なお、上述した信号経路を以下の説明では、「チャンネル」といい、各信号経路を順に「１チャンネル」、「２チャンネル」、「３チャンネル」等と番号を付して記載する。
【００１９】
本実施形態において、音響調整卓１は、９６個のチャンネルの音声信号を処理するものとし、この場合には、それぞれ９６個のヘッドアンプ２０、アナログデジタル変換器２１、イコライザ２２、およびレベル調整器２３を備える。
【００２０】
なお、図１において、１チャンネルと９６チャンネルとの音声信号を処理するためのヘッドアンプ２０、アナログデジタル変換器２１、イコライザ２２、およびレベル調整器２３を図示し、２チャンネルから９５チャンネルまでの音声信号を処理するためのヘッドアンプ２０、アナログデジタル変換器２１、イコライザ２２、およびレベル調整器２３の図示を省略する。
【００２１】
また、音響調整卓１は、１チャンネルから９６チャンネルまでの音声信号をミキシングするミキシング部２４と、各音声信号をマッピングされた出力先にそれぞれ出力するマトリクス部２５と、音声信号をデジタルアナログ変換するデジタルアナログ変換器２６とをさらに備えている。なお、図示は省略されているが、デジタルアナログ変換器２６は、音響調整卓１の出力側のチャンネルの数だけ備えられている。
【００２２】
本実施形態において、音響調整卓１は、９６個のチャンネルの音声信号を４つのグループに割り当てるようになっており、１チャンネルから２４チャンネルまでの音声信号を第１レイヤ、２５チャンネルから４８チャンネルまでの音声信号を第２レイヤ、４９チャンネルから７２チャンネルまでの音声信号を第３レイヤ、７３チャンネルから９６チャンネルまでの音声信号を第４レイヤにそれぞれ割り当てるようになっている。
【００２３】
音響調整卓１は、各グループに割り当てられた複数の音声信号の各信号レベルを検出する信号レベル検出手段２と、複数のグループから１つのグループを選択するグループ選択手段３と、グループ選択手段３によって選択されたグループに割り当てられた音声信号の各信号レベルを表すレベル情報を表示するレベル情報表示手段４と、グループ選択手段３によって選択されたグループに割り当てられた音声信号の各信号レベルがそれぞれ調整される信号レベル調整手段５とをさらに備えている。
【００２４】
信号レベル検出手段２は、グループ選択手段３によって選択されたグループの各チャンネルに対応するアナログデジタル変換器２１の出力側の音声信号の信号レベルを検出するようになっており、信号レベル調整手段５は、各チャンネルに対応するヘッドアンプ２０のゲインを調整するようになっている。
【００２５】
なお、本発明においては、信号レベル調整手段５によって信号レベルが調整される音声信号の信号レベルが信号レベル検出手段２によって検出されるようになっていればよく、例えば、信号レベル検出手段２は、各チャンネルに対応するレベル調整器２３の出力側の音声信号の信号レベルを検出するようにし、信号レベル調整手段５は、各チャンネルに対応するレベル調整器２３のパラメータを調整するようにしてもよい。
【００２６】
また、音響調整卓１は、複数のグループにそれぞれ割り当てられた複数の音声信号の各信号レベルが予め定められた閾値より大きいか否かを判断する信号レベル判断手段６と、信号レベル判断手段６による判断結果を表すピーク情報を音声信号毎に表示するピーク情報表示手段７とをさらに備えている。
【００２７】
信号レベル判断手段６は、信号レベル検出手段２によって検出された信号レベルが閾値、例えば、０ｄＢをフルスケールとした場合に、−３ｄｂより大きいか否かを判断するようになっている。
【００２８】
ピーク情報表示手段７は、信号レベル判断手段６による判断結果を全てのグループに割り当てられた全てのチャンネルにそれぞれ対応させて表示するようになっており、ピーク情報表示手段７の各音声信号に対する表示は、信号レベルが閾値より大きいと判断されたことを表すピーク状態と、信号レベルが閾値より大きくないと判断されたことを表す非ピーク状態とをとる。
【００２９】
例えば、ピーク情報表示手段７が各音声信号に対応した発光器を有している場合には、ピーク情報表示手段７は、各音声信号に対してピーク状態にある場合に、対応する発光器を点灯し、非ピーク状態にある場合に、対応する発光器を消灯するようになっている。
【００３０】
なお、ピーク情報表示手段７は、各音声信号に対して非ピーク状態からピーク状態になった場合には、ピーク状態を一定の時間保持するようにしてもよい。
【００３１】
また、信号レベル判断手段６が信号レベルを複数の閾値よりそれぞれ大きいか否かを判断するようにし、ピーク情報表示手段７は、信号レベルが超えた閾値に応じて、表示色や点滅速度等を変化させるようにしてもよい。
【００３２】
音響調整卓１は、音声信号が割り当てられたグループ毎に、信号レベルが閾値より大きいと信号レベル判断手段６によって判断された音声信号の何れかが割り当てられているか否かを判断するグループピーク情報判断手段８と、グループピーク情報判断手段８の判断結果を表すグループピーク情報をグループ毎に表示するグループピーク情報表示手段９とをさらに備えている。
【００３３】
グループピーク情報表示手段９は、信号レベル判断手段６による判断結果を各グループに対応させて表示するようになっており、グループピーク情報表示手段９の各グループに対する表示は、信号レベルが閾値より大きいと信号レベル判断手段６によって判断された音声信号の何れかが割り当てられているとグループピーク情報判断手段８によって判断されたことを表すピーク状態と、信号レベルが閾値より大きいと信号レベル判断手段６によって判断された音声信号の何れかが割り当てられていないとグループピーク情報判断手段８によって判断されたことを表す非ピーク状態とをとる。
【００３４】
例えば、グループピーク情報表示手段９が各グループに対応した発光器を有している場合には、グループピーク情報表示手段９は、各グループに対してピーク状態にある場合に、対応する発光器を点灯し、非ピーク状態にある場合に、対応する発光器を消灯するようになっている。
【００３５】
ここで、各グループに対して非ピーク状態からピーク状態になった場合には、ピーク状態を一定の時間保持するようにしてもよい。
【００３６】
また、信号レベル判断手段６が信号レベルを複数の閾値よりそれぞれ大きいか否かを判断するようにした場合には、グループピーク情報判断手段８は、グループ毎に各音声信号の信号レベルのうち最も高い信号レベルを検出するようにし、グループピーク情報表示手段９は、検出された信号レベルに応じて、表示色や点滅速度等を変化させるようにしてもよい。
【００３７】
なお、図１に示すように、音響調整卓１は、信号レベルが閾値より大きいと信号レベル判断手段６によって判断された音声信号が割り当てられたグループを選択するようにグループ選択手段３を制御するグループ選択制御手段１０を備えるようにしてもよい。
【００３８】
グループ選択制御手段１０は、グループピーク情報判断手段８による判断結果に応じてグループ選択手段３を制御するようになっている。なお、信号レベルが閾値を超えた音声信号が複数のグループにあった場合に、グループ選択手段３によってグループが断続的に切り替えられることを防止するよう、グループ選択制御手段１０は、グループ選択手段３によるグループの選択があった場合には、一定の時間グループ選択手段３を制御しないようにしてもよい。
【００３９】
また、信号レベルが閾値より大きいと信号レベル判断手段６によって判断された音声信号の何れかが割り当てられているとグループピーク情報判断手段８によって判断されたグループが複数ある場合には、グループ選択制御手段１０は、所定の優先順位でグループを選択するようグループ選択手段３を制御するように構成する。
【００４０】
また、音響調整卓１にグループ選択制御手段１０を設けた場合には、ピーク情報表示手段７およびグループピーク情報表示手段９の表示状態に係る閾値と、グループ選択制御手段１０の制御に係る別の閾値とを設けるようにしてもよい。
【００４１】
例えば、０ｄＢをフルスケールとした場合に、信号レベル検出手段２によって検出された信号レベルが−６ｄＢより大きい場合には、ピーク情報表示手段７およびグループピーク情報表示手段９が該当する発光器の点灯を行い、−３ｄＢより大きい場合には、グループ選択制御手段１０が該当するグループをグループ選択手段３に選択させるよう制御するようにしてもよい。
【００４２】
音響調整卓１には、表示部３０と操作部４０とが設けられている。図２は、音響調整卓１の表示部３０と操作部４０との正面図である。
【００４３】
表示部３０は、グループ選択手段３によって選択されたグループを示すグループ表示部３１を備え、図２に対して左から第１の表示領域から第２４の表示領域までの２４の表示領域に４つの発光器を有しピーク情報表示手段７を構成するピーク情報表示部３２と、複数の発光器を有しレベル情報表示手段４を構成するレベル情報表示部３３とをそれぞれ備えている。
【００４４】
なお、表示部３０は、液晶ディスプレイ等のモニタ装置によって構成し、グループ表示部３１、ピーク情報表示部３２、およびレベル情報表示部３３を画像を以って構成するようにしてもよい。
【００４５】
図２は、グループ選択手段３によって第１レイヤが選択されている状態を示しており、第１の表示領域のピーク情報表示部３２は、第１レイヤに割り当てた１チャンネルの音声信号のレベル情報を表示し、第１の表示領域のレベル情報表示部３３は、第１レイヤに割り当てた１チャンネル、第２レイヤに割り当てた２５チャンネル、第３レイヤに割り当てた４９チャンネル、および第４レイヤに割り当てた７３チャンネルの音声信号に対するピーク情報を表示するようになっている。
【００４６】
また、第２の表示領域のピーク情報表示部３２は、第１レイヤに割り当てた２チャンネルの音声信号のレベル情報を表示し、第２の表示領域のレベル情報表示部３３は、第１レイヤに割り当てた２チャンネル、第２レイヤに割り当てた２６チャンネル、第３レイヤに割り当てた５０チャンネル、および第４レイヤに割り当てた７４チャンネルに対するピーク情報を表示するようになっている。
【００４７】
ここで、グループ選択手段３によって第２レイヤが選択されると、レベル情報表示部３３によってピーク情報が表示されるチャンネルは変わらずに、グループ表示部３１は、第２レイヤが選択された旨を表示し、第１の表示領域のピーク情報表示部３２は、第２レイヤに割り当てた２５チャンネルの音声信号のレベル情報を表示し、第２の表示領域のピーク情報表示部３２は、第２レイヤに割り当てた２６チャンネルの音声信号のレベル情報を表示するようになる。
【００４８】
操作部４０は、グループ選択手段３を構成し４つのグループのうち１つのグループが選択されるグループ選択部４１と、４つの発光器を有しグループピーク情報表示手段９を構成するグループピーク情報表示部４２とを備え、図２に対して左から第１の操作領域から第２４の操作領域までの２４の操作領域が設けられている。
【００４９】
操作部４０は、ヘッドアンプ２０のゲインを調整する第１のボリュームコントローラ４３と、イコライザ２２のＱ値を調整する第２のボリュームコントローラ４４と、イコライザ２２の中心周波数を調整する第３のボリュームコントローラ４５と、イコライザ２２のゲインを調整する第４のボリュームコントローラ４６と、レベル調整器２３のパラメータを調整するスライダ４７との各コントローラを操作領域毎に備えている。
【００５０】
本実施形態において、第１のボリュームコントローラ４３は、信号レベル調整手段５を構成するが、イコライザ２２の出力側の音声信号の信号レベルが信号レベル検出手段２によって検出される場合には、第２のボリュームコントローラ４４と第３のボリュームコントローラ４５と第４のボリュームコントローラ４６とが信号レベル調整手段５を構成し、レベル調整器２３の出力側の音声信号の信号レベルが信号レベル検出手段２によって検出される場合には、スライダ４７が信号レベル調整手段５を構成する。
【００５１】
なお、操作部４０は、液晶ディスプレイ等のモニタ装置やマウス装置などの入力デバイスによって構成し、グループ選択部４１、グループピーク情報表示部４２、および各操作領域の各コントローラを画像を以って構成し、入力デバイスによって入力された座標情報を変換することによってコントローラの値を設定するようにしてもよい。
【００５２】
図２は、グループ選択手段３によって第１レイヤが選択されている状態を示している。第１の操作領域の各コントローラは、第１レイヤに割り当てた１チャンネルのヘッドアンプ２０、イコライザ２２、およびレベル調整器２３を調整し、第２の操作領域の各コントローラは、第１レイヤに割り当てた２チャンネルのヘッドアンプ２０、イコライザ２２、およびレベル調整器２３を調整するようになっている。
【００５３】
ここで、グループ選択手段３によって第２レイヤが選択されると、第１の操作領域の各コントローラは、第２レイヤに割り当てた２５チャンネルのヘッドアンプ２０、イコライザ２２、およびレベル調整器２３を調整し、第２の操作領域の各コントローラは、第２レイヤに割り当てた２６チャンネルのヘッドアンプ２０、イコライザ２２、およびレベル調整器２３を調整するようになる。
【００５４】
なお、表示部３０に設けられたピーク情報表示部３２は、図３に示すように操作部４０に設けてもよく、図４に示すように表示部３０と操作部４０との双方に設けてもよい。
【００５５】
以上のように構成された音響調整卓１について、図５および図６を用いてその動作を説明する。
【００５６】
図５は、音響調整卓１のピーク情報表示動作の説明のためのフロー図である。なお、音響調整卓１は、以下に説明するピーク情報表示動作を全てのグループに割り当てた全てのチャンネルの音声信号に対して実行する。
【００５７】
まず、音声信号の信号レベルが信号レベル検出手段２によって検出され（Ｓ１）、検出された信号レベルが予め定められた閾値より大きいか否かが信号レベル判断手段６によって判断される（Ｓ２）。
【００５８】
信号レベル検出手段２によって検出された信号レベルが閾値より大きいと判断された場合には、ピーク情報表示手段７の音声信号に対応する表示がピーク状態をとり（Ｓ３）、信号レベル検出手段２によって検出された信号レベルが閾値より大きくないと判断された場合には、ピーク情報表示手段７の音声信号に対応する表示が非ピーク状態をとる（Ｓ４）。
【００５９】
図６は、音響調整卓１のグループピーク情報表示動作の説明のためのフロー図である。なお、音響調整卓１は、以下に説明するグループピーク情報表示動作を全てのグループに対して実行する。
【００６０】
まず、グループに割り当てられた各音声信号の信号レベルが信号レベル検出手段２によって検出され（Ｓ１１）、検出された信号レベルが予め定められた閾値より大きいか否かが信号レベル判断手段６によって判断される（Ｓ１２）。
【００６１】
信号レベル検出手段２によって検出された信号レベルが閾値より大きいと判断された場合には、グループピーク情報表示手段９のグループに対応する表示がピーク状態をとり（Ｓ１３）、信号レベル検出手段２によって検出された信号レベルが閾値より大きくないと判断された場合には、グループに割り当てられた全てのチャンネルの音声信号が検出された否かがグループピーク情報判断手段８によって判断される（Ｓ１４）。
【００６２】
グループに割り当てられた全てのチャンネルの音声信号が検出されたと判断された場合には、グループピーク情報表示手段９のグループに対応する表示が非ピーク状態をとり（Ｓ１５）、グループに割り当てられた全てのチャンネルの音声信号が検出されていないと判断された場合には、グループに割り当てられた次のチャンネルの音声信号が検出される（Ｓ１１）。
【００６３】
このような本発明の一実施の形態の音響調整卓１によれば、複数のグループにそれぞれ割り当てられた複数の音声信号の各信号レベルが予め定められた閾値より大きいか否かの判断結果を音声信号毎に表示するピーク情報表示手段７を設けることにより、グループに割り当てられた複数の音声信号の各信号レベルを表すレベル情報の表示の切り替えを要することなく信号レベルが閾値より大きくなった音声信号を特定させることができる。
【産業上の利用可能性】
【００６４】
以上のように、本発明にかかる音響調整卓は、複数のグループにそれぞれ割り当てられた複数の音声信号の各信号レベルが予め定められた閾値より大きいか否かの判断結果を音声信号毎に表示するピーク情報表示手段を設けることにより、グループに割り当てられた複数の音声信号の各信号レベルを表すレベル情報の表示の切り替えを要することなく信号レベルが閾値より大きくなった音声信号を特定させることができるという効果を有し、放送スタジオや多目的ホールにおいて複数の音声信号をミキシング処理する音響調整卓等として有用である。
【図面の簡単な説明】
【００６５】
【図１】本発明の一実施の形態における音響調整卓のブロック図
【図２】本発明の一実施の形態における音響調整卓に設けられた表示部および操作部の第１の態様の正面図
【図３】本発明の一実施の形態における音響調整卓に設けられた表示部および操作部の第２の態様の正面図
【図４】本発明の一実施の形態における音響調整卓に設けられた表示部および操作部の第３の態様の正面図
【図５】本発明の一実施の形態における音響調整卓のピーク情報表示動作の説明のためのフロー図
【図６】本発明の一実施の形態における音響調整卓のグループピーク情報表示動作の説明のためのフロー図
【図７】従来の音響調整卓のブロック図
【符号の説明】
【００６６】
１  音響調整卓
２  信号レベル検出手段
３、５０  グループ選択手段
４、５１  レベル情報表示手段
５  信号レベル調整手段
６  信号レベル判断手段
７  ピーク情報表示手段
８  グループピーク情報判断手段
９  グループピーク情報表示手段
１０  グループ選択制御手段
２０  ヘッドアンプ
２１  アナログデジタル変換器
２２  イコライザ
２３  レベル調整器
２４  ミキシング部
２５  マトリクス部
２６  デジタルアナログ変換器
３０  表示部
３１  グループ表示部
３２  ピーク情報表示部
３３  レベル情報表示部
４０  操作部
４１  グループ選択部
４２  グループピーク情報表示部
４３  第１のボリュームコントローラ
４４  第２のボリュームコントローラ
４５  第３のボリュームコントローラ
４６  第４のボリュームコントローラ
４７  スライダ
５２  レベル条件判定手段
５３  警告表示手段
【図１】
2005229297.tif 000003
【図２】
2005229297.tif 000004
【図３】
2005229297.tif 000005
【図４】
2005229297.tif 000006
【図５】
2005229297.tif 000007
【図６】
2005229297.tif 000008
【図７】
2005229297.tif 000009